(57)【要約】      （修正有）【課題】カーナビゲーション地図を更新する方法、カーナビゲーション装置及びそのシステムを提供する。【解決手段】携帯端末との接続を確立するステップ１０１と、確立した接続によってナビゲーション地図に係る地図データの属する地域情報及び地域情報に対応する地図データのバージョン情報を含むプロファイルを前記携帯端末に送信するステップ１０２と、携帯端末がプロファイルに基づいて取得した最新の地図データを携帯端末から受信し、カーナビゲーション装置における最新の地図データの属する地域である相応地域の地図データを更新するステップ１０３とを含む。【効果】店に行かずにカーナビゲーション地図更新が実現でき、効率よくカーナビゲーション地図更新のコストを下げ、同時にユーザが携帯端末を利用して自動的にカーナビゲーション地図更新を実現し、カーナビゲーション地図更新の効率とリアルタイム性を向上させる。【選択図】図１ａ
2016105080.tif 000002
【特許請求の範囲】
【請求項１】
カーナビゲーション装置によるカーナビゲーション地図を更新する方法であって、
携帯端末と接続を確立するステップと、
確立した接続によってナビゲーション地図に係る地図データの属する地域情報及び前記地域情報に対応する地図データのバージョン情報を含むプロファイルを前記携帯端末に送信するステップと、
前記携帯端末が前記プロファイルに基づいて取得した最新の地図データを前記携帯端末から受信し、前記カーナビゲーション装置における前記最新の地図データの属する地域である相応地域の地図データを更新するステップとを含む
カーナビゲーション地図を更新する方法。
【請求項２】
前記携帯端末と接続を確立するステップは、
ワイヤレスフィディリティーＷｉＦｉホットスポットを作成するステップと、
前記携帯端末から前記ＷｉＦｉホットスポットにアクセスする要求を受信して応答するステップとを含む
請求項１に記載の方法。
【請求項３】
前記ワイヤレスフィディリティーＷｉＦｉホットスポットを作成するステップは、
前記携帯端末に前記ＷｉＦｉホットスポットのサービスセット識別子ＳＳＩＤをスキャンして取得させられるように、前記ＷｉＦｉホットスポットのＳＳＩＤ情報を含む二次元コードを生成するステップを含む
請求項２に記載の方法。
【請求項４】
前記ナビゲーション地図のプロファイルを前記携帯端末に送信すること、及び前記携帯端末から送信された最新の地図データを受信することは、ソケット通信を利用する
請求項１〜３のいずれか一項に記載の方法。
【請求項５】
携帯端末によるカーナビゲーション地図更新を補助する方法であって、
カーナビゲーション装置と接続を確立するステップと、
地図データの属する地域情報及び前記地域情報に対応する地図データのバージョン情報を含むプロファイルを前記カーナビゲーション装置から受信するステップと、
前記カーナビゲーション装置に最新の地図データの属する地域の地図データを更新させるように、前記プロファイルに基づいて前記最新の地図データを取得し、前記カーナビゲーション装置に送信するステップとを含む
カーナビゲーション地図更新を補助する方法。
【請求項６】
前記カーナビゲーション装置と接続を確立するステップは、
ワイヤレスフィディリティーＷｉＦｉホットスポットをスキャンし、前記カーナビゲーション装置が作成したＷｉＦｉホットスポットの情報を含むアクセスポイントＡＰリストを取得するステップと、
前記カーナビゲーション装置が作成したＷｉＦｉホットスポットにアクセスするステップとを含む
請求項５に記載の方法。
【請求項７】
前記カーナビゲーション装置が作成したＷｉＦｉホットスポットにアクセスする前に、
前記カーナビゲーション装置が生成した前記カーナビゲーション装置が作成したＷｉＦｉホットスポットのＳＳＩＤを含む二次元コードをスキャンし、前記カーナビゲーション装置が作成したＷｉＦｉホットスポットのサービスセット識別子ＳＳＩＤを取得するステップを更に含む
請求項６に記載の方法。
【請求項８】
前記カーナビゲーション装置が作成したＷｉＦｉホットスポットにアクセスするステップは、
前記ＡＰリストにおける前記ＳＳＩＤとマッチングするＡＰにアクセスするステップを含む
請求項７に記載の方法。
【請求項９】
前記プロファイルに基づいて最新の地図データを取得するとき、ＷｉＦｉを通じてネットワーク側から前記最新の地図データを取得する
請求項５〜８のいずれか一項に記載の方法。
【請求項１０】
前記プロファイルに基づいて最新の地図データを取得するステップは、
地図アプリケーションサーバから更新可能な各地域の地図データのバージョン情報を含む地域リストを取得するステップと、
前記地図アプリケーションサーバから前記地域リストが含まれかつ前記プロファイルの地域に含まれる特定地域の地図データをダウンロードするステップとを含む
請求項５〜８のいずれか一項に記載の方法。
【請求項１１】
前記地図アプリケーションサーバから前記地域リストにおける特定地域の地図データをダウンロードする前に、
前記地域リストにおける各地域の地図データのバージョン情報を前記プロファイルにおけるバージョン情報と比較し、前記プロファイルにおけるバージョンが前記地域リストに対応する地域のバージョンより低い地域を前記特定地域として取得するステップを更に含む
請求項１０に記載の方法。
【請求項１２】
カーナビゲーション装置であって、
携帯端末と接続を確立するように構成された接続モジュールと、
確立した接続によってナビゲーション地図に係る地図データの属する地域情報及び前記地域情報に対応する地図データのバージョン情報を含むプロファイルを前記携帯端末に送信するように構成されたファイル送信モジュールと、
前記携帯端末が前記プロファイルに基づいて取得した最新の地図データを前記携帯端末から受信し、前記カーナビゲーション装置における前記最新の地図データの属する地域である相応地域の地図データを更新するように構成されたデータ受信モジュールとを含む
カーナビゲーション装置。
【請求項１３】
前記接続モジュールは、
ワイヤレスフィディリティーＷｉＦｉホットスポットを作成するように構成されたホットスポット作成サブモジュールと、
前記携帯端末から前記ＷｉＦｉホットスポットにアクセスする要求を受信して応答するように構成されたアクセス処理サブモジュールとを含む
請求項１２に記載のカーナビゲーション装置。
【請求項１４】
前記ホットスポット作成サブモジュールは、具体的に、
前記携帯端末に前記ＷｉＦｉホットスポットのサービスセット識別子ＳＳＩＤをスキャンして取得させられるように、前記ＷｉＦｉホットスポットのＳＳＩＤ情報を含む二次元コードを生成するように構成される
請求項１３に記載のカーナビゲーション装置。
【請求項１５】
前記ファイル送信モジュールによって前記ナビゲーション地図のプロフィールを前記携帯端末に送信すること、及び前記データ受信モジュールによって前記携帯端末から送信された最新の地図データを受信することは、ソケット通信を利用する
請求項１２〜１４のいずれか一項に記載のカーナビゲーション装置。
【請求項１６】
カーナビゲーション装置と接続を確立するように構成された接続モジュールと、
地図データの属する地域情報及び前記地域情報に対応する地図データのバージョン情報を含むプロファイルを前記カーナビゲーション装置から受信するように構成されたファイル受信モジュールと、
前記カーナビゲーション装置に最新の地図データの属する地域の地図データを更新させるように、前記プロファイルに基づいて前記最新の地図データを取得し、前記カーナビゲーション装置に送信するように構成されたデータ取得・同期モジュールとを含む
携帯端末。
【請求項１７】
前記接続モジュールは、
ワイヤレスフィディリティーＷｉＦｉホットスポットをスキャンし、前記カーナビゲーション装置が作成したＷｉＦｉホットスポットの情報を含むアクセスポイントＡＰリストを取得するように構成されたホットスポットスキャンサブモジュールと、
前記カーナビゲーション装置が作成したＷｉＦｉホットスポットにアクセスするように構成されたアクセスサブモジュールとを含む
請求項１６に記載の携帯端末。
【請求項１８】
前記装置は、
前記アクセスサブモジュールが前記カーナビゲーション装置が作成したＷｉＦｉホットスポットにアクセスする前に、前記カーナビゲーション装置が生成した前記カーナビゲーション装置が作成したＷｉＦｉホットスポットのＳＳＩＤを含む二次元コードをスキャンし、前記カーナビゲーション装置が作成したＷｉＦｉホットスポットのサービスセット識別子ＳＳＩＤを取得するように構成された二次元コードスキャンモジュールを更に含む
請求項１７に記載の携帯端末。
【請求項１９】
前記アクセスサブモジュールは、具体的に前記ＡＰリストにおける前記ＳＳＩＤとマッチングするＡＰにアクセスするように構成される
請求項１８に記載の携帯端末。
【請求項２０】
前記データ取得・同期モジュールは前記プロファイルに基づいて最新の地図データを取得するとき、ＷｉＦｉを通じてネットワーク側から前記最新の地図データを取得するように構成される
請求項１６〜１９のいずれか一項に記載の携帯端末。
【請求項２１】
前記データ取得・同期モジュールは、
地図アプリケーションサーバから更新可能な各地域の地図データのバージョン情報を含む地域リストを取得するように構成されたリスト取得サブモジュールと、
前記地図アプリケーションサーバから前記地域リストに含まれかつ前記プロファイルの地域に含まれる特定地域の地図データをダウンロードするように構成されたデータダウンロードサブモジュールとを含む
請求項１６〜１９のいずれか一項に記載の携帯端末。
【請求項２２】
前記端末は、
データダウンロードサブモジュールが前記地図アプリケーションサーバから前記地域リストにおける特定地域の地図データをダウンロードする前に、前記地域リストにおける各地域の地図データのバージョン情報を前記プロファイルにおけるバージョン情報と比較し、前記プロファイルにおけるバージョンが前記地域リストに対応する地域のバージョンより低い地域を前記特定地域として取得するように構成された地域判定モジュールを更に含む
請求項２１に記載の携帯端末。
【請求項２３】
請求項１２〜１５のいずれか一項に記載のカーナビゲーション装置及び請求項１６〜２２のいずれか一項に記載の携帯端末を含み、
前記カーナビゲーション装置は前記携帯端末と接続を確立し、確立した接続によってナビゲーション地図に係る地図データの属する地域情報及び前記地域情報に対応する地図データのバージョン情報を含むプロファイルを前記携帯端末に送信するように構成され、
前記携帯端末は前記プロファイルに基づいて最新の地図データを取得し、前記最新の地図データを前記カーナビゲーション装置に送信するように構成され、
前記カーナビゲーション装置は、更に前記最新の地図データを受信し、前記最新の地図データの属する地域の地図データを更新するように構成される
カーナビゲーション地図を更新するシステム。
【発明の詳細な説明】
【技術分野】
【０００１】
本発明は、カーナビゲーション技術分野に関し、特にカーナビゲーション地図を更新する方法、カーナビゲーション装置及びそのシステムに関する。
【背景技術】
【０００２】
自動車の数多くの走行補助装置において、カーナビゲーション装置はユーザに随時自分の正確な位置を知らせ、自動的に目的地までのルートを案内するため、自動車に幅広く応用されている。
【０００３】
カーナビゲーション装置は主に内部に配置されたＧＰＳ（Ｇｌｏｂａｌ  Ｐｏｓｉｔｉｏｎｉｎｇ  Ｓｙｓｔｅｍ、全地球測位システム）のアンテナを通じてＧＰＳ衛星から送信された位置座標データを受信し、受信した位置座標データと格納している電子地図とマッチングすることにより、自動車の正確な位置を判定する。
【０００４】
しかしながら、市政施設の整備が進むにつれて、新規道路と建物を追加できるように、電子地図運営会社も相応に電子地図を更新する。そのため、カーナビゲーション装置も格納している電子地図をリアルタイムに更新しなければならない。
【０００５】
現在、カーナビゲーション地図更新は４Ｓ店又は修理店の専門技師によって地図のバージョンをアップグレードして更新するしかないし、更新するたびに４Ｓ店又は修理店に料金を支払わなければならないし、カーナビゲーション更新のコストも高い。
【発明の概要】
【発明が解決しようとする課題】
【０００６】
本発明は、カーナビゲーション地図更新のコストを下げるために、カーナビゲーション地図を更新する方法、カーナビゲーション装置及びそのシステムを提供する。
【課題を解決するための手段】
【０００７】
本発明の第１方面の実施形態によるカーナビゲーション地図を更新する方法は、カーナビゲーション装置によって実行する。当該方法は、携帯端末と接続を確立するステップと、確立した接続によってナビゲーション地図に係る地図データの属する地域情報及び前記地域情報に対応する地図データのバージョン情報を含むプロファイルを前記携帯端末に送信するステップと、前記携帯端末が前記プロファイルに基づいて取得した最新の地図データを携帯端末から受信し、前記カーナビゲーション装置における前記最新の地図データの属する地域である相応地域の地図データを更新するステップとを含む。
【０００８】
本発明の第２方面の実施形態によるカーナビゲーション地図更新を補助する方法を提供し、携帯端末によって実行する。当該方法は、カーナビゲーション装置と接続を確立するステップと、地図データの属する地域情報及び前記地域情報に対応する地図データのバージョン情報を含むプロファイルを前記カーナビゲーション装置から受信するステップと、前記カーナビゲーション装置に前記最新の地図データの属する地域の地図データを更新させるように、前記プロファイルに基づいて最新の地図データを取得し、前記最新の地図データを前記カーナビゲーション装置に送信するステップとを含む。
【０００９】
本発明の第３方面の実施形態によるカーナビゲーション装置は、携帯端末と接続を確立するように構成された接続モジュールと、確立した接続によってナビゲーション地図に係る地図データの属する地域情報及び前記地域情報に対応する地図データのバージョン情報を含むプロファイルを前記携帯端末に送信するように構成されたファイル送信モジュールと、前記携帯端末から送信された最新の地図データを受信し、前記カーナビゲーション装置の相応地域の地図データを更新するように構成されたデータ受信モジュールとを含み、前記最新の地図データは前記携帯端末が前記プロファイルに基づいて取得し、前記相応地域は前記最新の地図データの属する地域である。
【００１０】
本発明の第４方面の実施形態による携帯端末は、カーナビゲーション装置と接続を確立するように構成された接続モジュールと、地図データの属する地域情報及び前記地域情報に対応する地図データのバージョン情報を含むプロファイルを前記カーナビゲーション装置から受信するように構成されたファイル受信モジュールと、前記カーナビゲーション装置に前記最新の地図データの属する地域の地図データを更新させるように、前記プロファイルに基づいて最新の地図データを取得し、前記最新の地図データを前記カーナビゲーション装置に送信するように構成されたデータ取得・同期モジュールとを含む。
【００１１】
本発明の第五方面の実施形態によるカーナビゲーション地図を更新するシステムは、前記カーナビゲーション装置と前記携帯端末とを含む。
【００１２】
前記カーナビゲーション装置は、前記携帯端末と接続を確立し、更に確立した接続によってナビゲーション地図に係る地図データの属する地域情報及び前記地域情報に対応する地図データのバージョン情報を含むプロファイルを前記携帯端末に送信するように構成される。
【００１３】
前記携帯端末は、前記プロファイルに基づいて最新の地図データを取得し、前記最新の地図データを前記カーナビゲーション装置に送信する。
【００１４】
前記カーナビゲーション装置は更に前記最新の地図データを受信し、前記最新の地図データの属する地域の地図データを更新するように構成される。
【００１５】
本発明の実施形態によるカーナビゲーション地図を更新する方法、カーナビゲーション装置及びそのシステムは、ナビゲーション地図のプロファイルを携帯端末に送信し、携帯端末がプロファイルに基づいて最新の地図を取得し、更に携帯端末から送信された最新の地図に基づいてカーナビゲーション装置の相応地域の地図データを更新することにより、４Ｓ店又は修理店に行かずにカーナビゲーション地図更新が実現でき、効率よくカーナビゲーション地図更新のコストを下げ、同時にユーザが携帯端末を利用して自動的にカーナビゲーション地図更新を実現させ、カーナビゲーション地図更新の効率とリアルタイム性を向上させた。
【図面の簡単な説明】
【００１６】
本発明の実施形態に係る技術案をはっきり説明するには、これから実施形態の説明に利用される図面を簡単に説明する。以下説明する図面は本発明のいくつかの実施形態に過ぎず、本分野の技術者は、創作的な労力も必要とせず、これらの図面に基づき他の図面を取得することができる。
【図１ａ】本発明の実施形態１によるカーナビゲーション地図を更新する方法を示すフローチャートである。
【図１ｂ】本発明の実施形態によるカーナビゲーション地図を更新する方法における伝送アーキテクチャを示す模式図である。
【図２ａ】本発明の実施形態２によるカーナビゲーション地図を更新する方法を示すフローチャートである。
【図２ｂ】本発明の実施形態によるカーナビゲーション地図を更新する方法における信号伝達を示すフローチャートである。
【図３】本発明の実施形態３によるカーナビゲーション地図更新を補助する方法を示すフローチャートである。
【図４】本発明の実施形態４によるカーナビゲーション地図更新を補助する方法における最新の地図データを取得する方法を示すフローチャートである。
【図５】本発明の実施形態５によるカーナビゲーション地図更新を補助する方法におけるカーナビゲーション装置と接続を確立するプロセスを示すフローチャートである。
【図６】本発明の実施形態６によるカーナビゲーション装置の構造を示す図である。
【図７】本発明の実施形態７による携帯端末の構造を示す図である。
【図８】本発明の実施形態８によるカーナビゲーション地図の更新システムの構造を示す図である。
【図９】本発明の実施形態９によるカーナビゲーション地図の更新システムの構造を示す図である。
【発明を実施するための形態】
【００１７】
以下、図面を参照しながら、本発明の実施形態をより詳細に説明する。ここにおいて説明する実施形態が例示性のものであり、本発明を一般に理解するために用いられ、本発明を制限するように解釈されてはならない。また、説明された実施形態は本発明におけるほんの一部であり、全部の実施形態ではない。
【００１８】
本発明の実施形態によるカーナビゲーション地図を更新する方法は、その実行主体がカーナビゲーション装置であってもよい。
実施形態１
【００１９】
図１ａに示したように、本実施形態によるカーナビゲーション地図を更新する方法は具体的には、ステップ１０１〜ステップ１０３を含む。
【００２０】
ステップ１０１において、携帯端末と接続を確立する。
【００２１】
例えば、カーナビゲーション装置はブルートゥース、ＮＦＣ（Ｎｅａｒ  Ｆｉｅｌｄ  Ｃｏｍｍｕｎｉｃａｔｉｏｎ近距離無線通信）、ＵＳＢ（Ｕｎｉｖｅｒｓａｌ  Ｓｅｒｉａｌ  Ｂｕｓユニバーサル・シリアル・バス）、ＷｉＦｉ（Ｗｉｅｒｌｅｓｓ−Ｆｉｄｅｌｉｔｙ、ワイヤレスフィディリティ）等を通じて携帯端末と接続を確立することができ、携帯端末とインターアクションをし、携帯端末を通して最新の地図データを取得する。相応した伝送アーキテクチャは図１ｂに示したように、最下位の層はＷｉＦｉモジュール、ＮＦＣモジュール、ＵＳＢモジュールとブルートゥースモジュールで、その上の層は伝送アーキテクチャ層と伝送エージェント層であり、最上位は伝送インターフェース層である。こういう伝送アーキテクチャは複数の伝送方法をシームレスに拡張することができる。その中で、伝送エージェント層は主に異なる伝送方法を管理・調整する。
【００２２】
前記携帯端末はインターネット通信機能と無線通信機能を備えた電子装置であってもよい。例えば、携帯通信端末や、個人情報（Ｐｅｒｓｏｎａｌ  Ｄｉｇｉｔａｌ  Ａｓｓｉｓｔａｎｔ、ＰＤＡと略称する）、ポータブルコンピュータ、スマートフォン、インターネットアクセスノートパソコン、モバイル・インターネット・デバイス（Ｍｏｂｉｌｅ  Ｉｎｔｅｒｎｅｔ  Ｄｅｖｉｃｅ、ＭＩＤと略称する）、ウルトラモバイルパソコン（Ｕｌｔｒａ  Ｍｏｂｉｌｅ  Ｐｅｒｓｏｎａｌ  Ｃｏｍｐｕｔｅｒ、ＵＭＰＣと略称する）、タブレットパソコン、ＭＰ３プレーヤー、ＭＰ４プレーヤー等である。これらの電子装置は近距離無線通信（Ｐ２Ｐ通信を含む）をすることもできるし、又は基地局若しくはアクセスポイント（Ａｃｃｅｓｓ  Ｐｏｉｎｔ、ＡＰと略称する）若しくは文字列情報の送受信を通じてネットワーク通信をすることもできる。
【００２３】
ステップ１０２において、確立した接続によってナビゲーション地図に係る地図データの属する地域情報及び前記地域情報に対応する地図データのバージョン情報を含むプロファイルを前記携帯端末に送信する。
【００２４】
具体的には、地図データの属する地域情報は北京市、山東省、広西チワン族自治区のような地図データの属する地域の行政名称であってもよいし、
【数１】
2016105080.tif 000003
等のような地図データの属する地域の略語であってもよいし、北京のコードが０１０で、上海市のコードが０２１であるような属する地域のコードであってもよい。該コードは電話の市外局番、ナンバープレートの番号等のような既存のコードを利用してもよいし、地図メーカーが一定の順番に従って設置したコードであってもよい。例えば、地域面積の広さに従って、広い順に設置したコードとか、又は人口数の多い順に設置したコードである。
【００２５】
地域情報と対応する地図データのバージョン情報は前回更新したバージョン情報であってもよい。カーナビゲーション装置に格納されているナビゲーション地図が更新されたことがないとき、バージョン情報は初期リリース情報であってもよい。
【００２６】
カーナビゲーション装置によってプロファイルを携帯端末に送信された後、携帯端末は更新するべき地域の情報と更新する必要のない地域の情報を取得することができる。その後、携帯端末は更新するべき地図データのみをダウンロードし、必要のないデータをダウンロードする手間を減らし、ダウンロードの効率を上げる。
【００２７】
ステップ１０３において、前記携帯端末から送信された最新の地図データを受信し、前記カーナビゲーション装置の相応地域の地図データを更新する。そのうち、前記最新の地図データは前記携帯端末が前記プロファイルに基づいて取得し、前記相応地域は前記最新の地図データの属する地域である。
【００２８】
例えば、カーナビゲーション装置はＷｉＦｉを通じて携帯端末から送信された最新の地図データを受信してもよいし、ＮＦＣ、ブルートゥース及びＵＳＢ等を通じて携帯端末から最新の地図データを取得してもよい。
【００２９】
地図データを更新するとき、新しいバージョンが直接対応地域の古いバージョンの地図データを置き換えることができる。
【００３０】
本発明の実施形態によるカーナビゲーション地図を更新する方法は、ナビゲーション地図のプロファイルを携帯端末に送信し、携帯端末がプロファイルに基づいて最新の地図を取得し、更に携帯端末が送信した最新の地図に基づいてカーナビゲーション装置の相応地域の地図データを更新することにより、４Ｓ店又は修理店に行かずにカーナビゲーション地図更新が実現でき、効率よくカーナビゲーション地図更新のコストを下げ、同時にユーザが携帯端末を利用して自動的にカーナビゲーション地図更新を実現させ、カーナビゲーション地図更新の効率とリアルタイム性を向上させた。更に、現在の携帯端末がほとんどＷｉＦｉ機能を備えているため、携帯端末を通じて地図データをダウンロードすることによって、ゼロパケットでダウンロードすることが実現され、カーナビゲーション地図更新のコストを更に下げることができる。
【００３１】
カーナビゲーション装置がＷｉＦｉを通じて携帯端末と接続を確立するとき、カーナビゲーション装置によってホットスポットを作成することもできるし、携帯端末によってホットスポットを作成することもできる。カーナビゲーション装置によってホットスポットを作成するとき、前記技術案のもとに、前記携帯端末と接続を確立するステップは、具体的に、ワイヤレスフィディリティーＷｉＦｉホットスポットを作成するステップと、前記携帯端末から前記ＷｉＦｉホットスポットにアクセスする要求を受信して応答するステップとを含む。
【００３２】
例えば、カーナビゲーション装置がホットスポット機能を備えていれば、前記操作を実行し、携帯端末と接続を確立することができる。こうなれば、携帯端末もホットスポット機能を備えていた場合、カーナビゲーション装置においてホットスポットを作成すれば、携帯端末の電力量を節約することができる。
【００３３】
カーナビゲーション装置によってＷｉＦｉホットスポットを作成した後、携帯端末は該ＷｉＦｉホットスポットのＳＳＩＤ（Ｓｅｒｖｉｃｅ  Ｓｅｔ  Ｉｄｅｎｔｉｆｉｅｒ  サービスセット識別子）を取得しなければならない。この場合、例示として、前記ワイヤレスフィディリティーＷｉＦｉホットスポットを作成するステップは、前記携帯端末に前記ＷｉＦｉホットスポットのサービスセット識別子ＳＳＩＤをスキャンして取得させられるように、前記ＷｉＦｉホットスポットのＳＳＩＤ情報を含む二次元コードを生成するステップを含む。
【００３４】
例えば、カーナビゲーション装置によってＷｉＦｉホットスポットを作成するとき、ＷｉＦｉホットスポットの二次元コードを生成し、このように、携帯端末はスキャンして取得することができ、手動でＳＳＩＤを入力せずに済む。
【００３５】
例示として、前記ナビゲーション地図のプロファイルを前記携帯端末に送信すること、及び前記携帯端末から送信された最新の地図データを受信することは、ソケット通信を利用する。というのは、ソケットはカーナビゲーション装置と携帯端末とのプロセス間通信を実現できるだけでなく、カーナビゲーション装置と携帯端末との配置に対する制限も厳しくないし、カーナビゲーション装置と携帯端末との配置をアップグレードする必要もないからである。
実施形態２
【００３６】
本実施形態は前記実施形態に基づき、別のカーナビゲーション地図を更新する方法を提供する。
【００３７】
図２ａが示したように、本実施形態によるカーナビゲーション地図を更新する方法は具体的にステップ２０１〜ステップ２０４を含む。
【００３８】
ステップ２０１において、携帯端末と接続を確立する。
【００３９】
具体的に、カーナビゲーション装置によってホットスポット作成の操作を開始し、ホットスポットが作成された後、該ホットスポットのＳＳＩＤ情報である二次元コードを生成する。こうなれば、携帯電話のような携帯端末を通じて該二次元コードをスキャンすれば、ＳＳＩＤ値を取得することができ、その後該ＳＳＩＤ値をスキャンされたＡＰリストとマッチングさせ、ＡＰリストに前記ＳＳＩＤがあった場合、カーナビゲーション装置と接続を確立する。
【００４０】
ステップ２０２において装置検出操作を行う。
【００４１】
ステップ２０１によってカーナビゲーション装置と携帯端末とを接続したら、カーナビゲーション装置と携帯端末との間に小規模のローカルエリアネットワークを構築したようになる。カーナビゲーション装置と携帯端末との間にソケット通信を利用する場合には、サーバ側のＩＰアドレスを取得しなければならない。ここにおいて、カーナビゲーション装置と携帯端末は互いにクライアント側とサーバ側である。
【００４２】
本実施形態はＵＤＰ（Ｕｓｅｒ  Ｄａｔｅｇｒａｍ  Ｐｒｏｔｏｃｏｌ、ユーザデータグラムプロトコル）ＬＡＮ放送を通じてサーバ側アドレスを取得する。カーナビゲーション装置と携帯端末は、それぞれ各自のＩＰをマルチキャストソケットを通じてグループアドレス２２４．０．０．１（グループアドレスが２２４．０．０．０〜２３９．２２５．２２５．２２５のいずれか一つであってもよい）に送信し、放送を受信してお互いのＩＰを取得すれば、クライアント側もサーバ側のＩＰを取得することになる。
【００４３】
ステップ２０３において、プロファイルを伝送する。
【００４４】
カーナビゲーション装置と携帯端末はお互いのＩＰを取得した後、カーナビゲーション装置は携帯端末にオフライン地図即ち現在カーナビゲーションに格納されている地図データのプロファイルを送信する。該プロファイルに地図データの属する省の情報及びそれぞれの省の地図データのバージョン情報が含まれている。携帯端末がプロファイルを受信した後、地図アプリケーションサーバ側にアクセスして更新可能な地図データの省リストを取得する。携帯端末例えば携帯電話は無線ルーターのあるレストランやバス等のようなＷｉＦｉ環境において更新可能な地図データをダウンロードすることができる。携帯端末が再びカーナビゲーションに接続するとき、ダウンロードしておいた地図データをカーナビゲーション装置に送信する。ＮＦＣ、ＵＳＢ又はブルートゥース、更に前記ソケット通信を通じて地図データを送信してもかまわない。
【００４５】
ステップ２０４において、データ融合を行う。
【００４６】
カーナビゲーション装置が携帯端末例えば携帯電話から送信されたオフラインの省のデータ即ち前記ステップ２０３において携帯端末によってダウンロードされた地図データを受信した後、受信した地図データをそれぞれ対応した省の地図データのファイルに保存し、カーナビゲーション装置が再度起動してナビゲーションするとき、新旧データの併合が完了すれば、カーナビゲーション装置が更新されることになる。
【００４７】
相応する信号伝達のプロセスは図２ｂに示したように、クライアント側とサーバ側は初めに各自の伝送メカニズムを起動し、各自のキャラクターに入り、その後クライアント側からサーバ側に接続要求を送信し、サーバ側が応答して両者間の接続を確立する。その後、クライアント側によってフォルダ又はファイルをサーバ側に送信され、サーバ側がフォルダ又はファイルを受信した後、ネットワーク側からデータを取得する。ここにおいて、サーバ側が携帯端末であり、クライアント側がカーナビゲーション装置であり、フォルダ又はファイルがカーナビゲーション装置から携帯端末に送信されたプロファイルであり、取得されたデータが最新バージョンの地図データ又は前記地域リストである。
【００４８】
本実施形態によるカーナビゲーション地図を更新する方法は、カーナビゲーション装置はホットスポットを作成することによって携帯端末と接続を確立することで、ゼロパケットでプロファイルの伝送が実現でき、並びに携帯端末はＷｉＦｉを通じて地図データをダウンロードし、カーナビゲーション装置がゼロパケットで地図データを更新することが実できる。
【００４９】
本発明の実施形態によるカーナビゲーション地図更新を補助する方法は、前記実施形態と対応しており、その実行主体は前記携帯端末である。
実施形態３
【００５０】
図３に示したように、本実施形態によるカーナビゲーション地図更新を補助する方法は、具体的にステップ３０１〜ステップ３０３を含む。
【００５１】
ステップ３０１において、カーナビゲーション装置と接続を確立する。
【００５２】
例えば、携帯端末とカーナビゲーション装置とは無線接続してもよいし、ＵＳＢ接続してもよい。具体的には実施形態１における説明を参照し、ここにおいては繰り返さない。
【００５３】
ステップ３０２において、地図データの属する地域情報及び前記地域情報に対応する地図データのバージョン情報を含むプロファイルを前記カーナビゲーション装置から受信する。
【００５４】
地図データの属する地域情報及び前記地域情報に対応する地図データのバージョン情報については実施形態１における説明を参照し、ここにおいては繰り返さない。
【００５５】
カーナビゲーション装置に最新の地図データの属する地域の地図データを更新させるように、プロファイルに基づいて最新の地図データを取得し、カーナビゲーション装置に送信する。
【００５６】
例えば、携帯端末はＷｉＦｉまたはモバイルオペレーターのネットワークを通じて地図データをダウンロードすることができる。ダウンロードのとき、プロファイルにおけるバージョン情報に基づいてネットワーク側の地図アプリケーションサーバから最高バージョン（即ち最新バージョン）の地図データをダウンロードすることもできるし、地図アプリケーションサーバからすべての地域の地図データをダウンロードすることもできる。その後ダウンロードされた地図データのバージョンをプロファイルにおける対応したバージョン情報と比較し、更新するべき地図データの地域情報を取得し、ダウンロードされた地図データの中に、地域情報と対応した地域の地図データが最新の地図データである。
【００５７】
本実施形態によるカーナビゲーション地図の更新を補助する方法は、携帯端末を通じてカーナビゲーション装置から送信されたナビゲーション地図のプロファイルを受信し、更にプロファイルに基づいて最新の地図を取得し、カーナビゲーション装置に送信してカーナビゲーション装置における対応した地域の地図データを更新することにより、４Ｓ店又は修理店に行かずにカーナビゲーション地図更新が実現でき、効率よくカーナビゲーション地図更新のコストを下げ、同時にユーザが携帯端末を利用して自動的にカーナビゲーション地図更新を実現させ、カーナビゲーション地図更新の効率とリアルタイム性を向上させた。
【００５８】
携帯端末がＷｉＦｉを通じてカーナビゲーション装置と接続を確立するとき、例示として、前記カーナビゲーション装置と接続を確立するステップは、ワイヤレスフィディリティーＷｉＦｉホットスポットをスキャンし、前記カーナビゲーション装置が作成したＷｉＦｉホットスポットの情報を含むアクセスポイントＡＰリストを取得するステップと、前記カーナビゲーション装置が作成したＷｉＦｉホットスポットにアクセスするステップとを含む。
【００５９】
例えば、ユーザは携帯端末を利用してＷｉＦｉをスキャンし、カーナビゲーション装置が作成したＷｉＦｉを含む周りのＷｉＦｉを取得し、即ちＡＰリストを取得する。ユーザはＡＰリストからカーナビゲーション装置が作成したＷｉＦｉホットスポットを検出した後、クリックして接続すれば、カーナビゲーション装置との接続を確立することができる。
【００６０】
例示として、前記カーナビゲーション装置が作成したＷｉＦｉホットスポットにアクセスする前に、本発明の実施形態によるカーナビゲーション地図の更新を補助する方法は、前記カーナビゲーション装置が生成した前記カーナビゲーション装置が作成したＷｉＦｉホットスポットのＳＳＩＤを含む二次元コードをスキャンし、前記カーナビゲーション装置が作成したＷｉＦｉホットスポットのサービスセット識別子ＳＳＩＤを取得するステップを更に含む。
【００６１】
前記カーナビゲーション装置におけるカーナビゲーション地図を更新する方法と対応し、カーナビゲーション装置がＷｉＦｉホットスポットのＳＳＩＤを含む二次元コードを生成したとき、ユーザは携帯端末のカメラ又はレンズを当該二次元コードに向かってスキャンし、前記カーナビゲーション装置が作成したＷｉＦｉホットスポットのＳＳＩＤを取得する。こうすれば、以後、ユーザはＡＰリストからカーナビゲーション装置が作成したＷｉＦｉホットスポットを容易に検出し、又はユーザはカーナビゲーション装置が作成したＷｉＦｉホットスポットがどれかをかまわず、すべてを携帯端末に任せて、ユーザが手動で操作することもなく携帯端末が自動的にアクセスする。
【００６２】
携帯端末が自動的にアクセスする場合、例示として、前記カーナビゲーション装置が作成したＷｉＦｉホットスポットにアクセスするステップは、前記ＡＰリストにおける前記ＳＳＩＤとマッチングするＡＰにアクセスするステップを含む。
【００６３】
例えば、携帯端末は二次元コードをスキャンして取得したＳＳＩＤをＡＰリストにおけるＳＳＩＤを逐一比較し、ＡＰリストにおいて二次元コードをスキャンして取得したＳＳＩＤを検出した場合、トリガー接続する。
【００６４】
例示として、前記プロファイルに基づいて最新の地図データを取得するとき、ＷｉＦｉを通じてネットワーク側から前記最新の地図データを取得する。
【００６５】
例えば、携帯端末がプロファイルを受信した後、ユーザはＷｉＦｉのある別の場所に行って地図データをダウンロードし、ゼロパケット即ち無料でカーナビゲーション装置の最新の地図データを取得することができる。
【００６６】
例示として、前記プロファイルに基づいて最新の地図データを取得するステップは、地図アプリケーションサーバから更新可能な各地域の地図データのバージョン情報を含む地域リストを取得するステップと、前記地図アプリケーションサーバから前記地域リストに含まれかつ前記プロファイルの地域に含まれる特定地域の地図データをダウンロードするステップとを含む。
【００６７】
例えば、携帯端末がネットワーク側から取得した更新可能な地域リストにプロファイルにない地域があるとき、携帯端末は地域リストとプロファイルの両者に含まれている地域の地図データのみをダウンロードする。
【００６８】
例示として、前記地図アプリケーションサーバから前記地域リストにおける特定地域の地図データをダウンロードする前に、前記方法は、前記地域リストにおける各地域の地図データのバージョン情報を前記プロファイルにおけるバージョン情報と比較し、前記プロファイルにおけるバージョンが前記地域リストに対応する地域のバージョンより低い地域を前記特定地域として取得するステップを更に含む。
【００６９】
例えば、同じ地域に対し、地域リストにおけるバージョンがプロファイルにおけるバージョンと同様である場合、携帯端末はダウンロードしない。携帯端末は、当該地域リストにおけるバージョンがプロファイルにおけるバージョンより高いときしかダウンロードしない。こうすることにより、不要なデータをダウンロードせず、ネットワークの負担も減らせ、更にダウンロード速度も上げられる。
実施形態４
【００７０】
本実施形態は前記実施形態に基づいて、最新の地図データを取得するプロセスを更に最適化させた。
【００７１】
図４に示したように、本実施形態によるカーナビゲーション地図の更新を補助する方法において、最新の地図データを取得する方法は具体的にステップ４０１〜ステップ４０３を含む。
【００７２】
ステップ４０１において、地図アプリケーションサーバから更新可能な地図データの地域リストを取得する。
【００７３】
ステップ４０２において、地域リストにおける各地域の地図データのバージョン情報をプロファイルにおけるバージョン情報と比較し、特定地域の情報を取得する。
【００７４】
例えば、プロファイルにおける上海市の地図データのバージョンが地域リストにおける地図データのバージョンより低いと、上海市が特定地域となり、上海市と対応する地図データを更新しなければならない。
【００７５】
ステップ４０３において、地図アプリケーションサーバから前記特定地域の地図データをダウンロードする。
【００７６】
地図アプリケーションサーバにすべての地域の最新バージョンの地図データが格納されており、地図データ量も多いが、すべての地域と比べると、ユーザの行動範囲が狭いため、ユーザのプロファイルにない地域の地図データを更新する必要がない。携帯端末がＷｉＦｉを通じて地図アプリケーションサーバから特定地域の地図データをダウンロードし、ゼロパケットで特定地域の地図データのダウンロードが実現されるのが望ましい。
【００７７】
本実施形態による技術案は、特定地域を取得しそれに対応した地図データをダウンロードすることにより、必要に応じて地図データをダウンロードすることができ、パケットを節約し、無駄なデータ伝送を減らす。
実施形態５
【００７８】
本実施形態は前記実施形態に基づいて、前記カーナビゲーション装置側の方法実施形態と対応して、カーナビゲーション地図の更新を補助する方法においてカーナビゲーション装置と接続を確立する技術案を提供し、カーナビゲーション装置がＷｉＦｉホットスポットを作成するのに適する。
【００７９】
図５に示したように、本実施形態によるカーナビゲーション地図の更新を補助する方法においてカーナビゲーション装置と接続を確立する過程は具体的にステップ５０１〜５０４を含む。
【００８０】
ステップ５０１において、携帯端末がワイヤレスフィディリティーＷｉＦｉホットスポットをスキャンし、アクセスポイントＡＰ（ＷｉｒｅｌｅｓｓＡｃｃｅｓｓＰｏｉｎｔ無線アクセスポイント）リストを取得する。
【００８１】
例えば、携帯端末は、ユーザからのＷｉＦｉホットスポットをスキャンする操作指令を受信した後、ＷｉＦｉホットスポットをスキャンするアプリケーションを起動し、アクセスポイントＡＰリストを取得する。アクセスポイントＡＰリストは携帯端末がスキャンしたすべてのＷｉＦｉホットスポットのリストであり、リストにおいて、ＷｉＦｉホットスポットはそれぞれ信号強度及び／又は接続頻度の高い順に並べる。ＡＰリストにカーナビゲーション装置が作成したＷｉＦｉホットスポットの情報を含む。
【００８２】
ステップ５０２において、携帯端末がカーナビゲーション装置が生成した二次元コードをスキャンし、カーナビゲーション装置が作成したＷｉＦｉホットスポットのＳＳＩＤを取得する。
【００８３】
ステップ５０３において、ユーザが捜索するときの不便を回避させるように、携帯端末がステップ５０２においてスキャンして取得したＳＳＩＤをＡＰリストにおけるＳＳＩＤと比較する。
【００８４】
ステップ５０４において、携帯端末がＡＰリストにおけるスキャンして取得したＳＳＩＤとマッチングするＷｉＦｉホットスポットにアクセスし、即ちカーナビゲーション装置が作成したＷｉＦｉホットスポットにアクセスする。
【００８５】
本実施形態による技術案は、携帯端末が二次元コードをスキャンしてカーナビゲーション装置が作成したＷｉＦｉホットスポットのＳＳＩＤを取得し、当該ＳＳＩＤをＡＰリストにおけるＳＳＩＤとを比較した後、ＡＰリストにおけるマッチングするＳＳＩＤにアクセスすることにより、携帯端末とカーナビゲーション装置との自動接続を実現し、携帯端末が迅速で便利にカーナビゲーション装置から地図データのプロファイルを取得することができ、カーナビゲーション地図データを更新する効率を向上させた。
実施形態６
【００８６】
図６に示したように、本実施形態によるカーナビゲーション装置は具体的に、携帯端末と接続を確立するように構成された接続モジュール６１と、確立した接続によってナビゲーション地図に係る地図データの属する地域情報及び前記地域情報に対応する地図データのバージョン情報を含むプロファイルを携帯端末に送信するように構成されたファイル送信モジュール６２と、前記携帯端末が前記プロファイルに基づいて取得した最新の地図データを前記携帯端末から受信し、前記カーナビゲーション装置における前記最新の地図データの属する地域である相応地域の地図データを更新するように構成されたデータ受信モジュール６３とを含む。
【００８７】
本発明の実施形態によるカーナビゲーション地図を更新するカーナビゲーション装置は、ファイル送信モジュールによってナビゲーション地図のプロファイルを携帯端末に送信し、携帯端末がプロファイルに基づいて最新の地図を取得し、更にデータ受信モジュールによって携帯端末から送信した最新の地図に基づいてカーナビゲーション装置の相応地域の地図データを更新することにより、４Ｓ店又は修理店に行かずにカーナビゲーション地図更新が実現でき、効率よくカーナビゲーション地図更新のコストを下げ、同時にユーザが携帯端末を利用して自動的にカーナビゲーション地図更新を実現させ、カーナビゲーション地図更新の効率とリアルタイム性を向上させた。更に、現在の携帯端末がほとんどＷｉＦｉ機能を備えているため、携帯端末を通じて地図データをダウンロードすることによって、ゼロパケットでダウンロードすることが実現され、カーナビゲーション地図更新のコストを更に下げることができる。
【００８８】
例示として、前記接続モジュール６１は、ワイヤレスフィディリティーＷｉＦｉホットスポットを作成するように構成されたホットスポット作成サブモジュールと、前記携帯端末から前記ＷｉＦｉホットスポットにアクセスする要求を受信して応答するように構成されたアクセス処理サブモジュールとを含む。
【００８９】
例示として、前記ホットスポット作成サブモジュールは、具体的に、前記携帯端末に前記ＷｉＦｉホットスポットのサービスセット識別子ＳＳＩＤをスキャンして取得させられるように、前記ＷｉＦｉホットスポットのＳＳＩＤ情報を含む二次元コードを生成するように構成される。
【００９０】
例示として、前記ファイル送信モジュールによって前記ナビゲーション地図のプロフィールを前記携帯端末に送信することは、及び前記データ受信モジュールによって前記携帯端末から送信された最新の地図データを受信することは、ソケット通信を利用する。
【００９１】
前記カーナビゲーション装置は本発明のいずれの実施形態が提供したカーナビゲーション地図を更新する方法を実行することができ、カーナビゲーション地図を更新する方法における各操作と対応する機能モジュールと有益効果を有する。
実施形態７
【００９２】
本実施形態による携帯端末は前記実施形態に提供されたカーナビゲーション地図更新を補助する方法を実現するのに用いられる。
【００９３】
図７に示したように、本実施形態による携帯端末は具体的に、カーナビゲーション装置と接続を確立するように構成された接続モジュール７１と、地図データの属する地域情報及び地域情報に対応する地図データのバージョン情報を含むプロファイルを前記カーナビゲーション装置から受信するように構成されたファイル受信モジュール７２と、カーナビゲーション装置に最新の地図データの属する地域の地図データを更新させるように、プロファイルに基づいて最新の地図データを取得し、カーナビゲーション装置に送信するように構成されたデータ取得・同期モジュール７３とを含む。
【００９４】
本実施形態による携帯端末は、ファイル受信モジュールによってカーナビゲーション装置から送信されたナビゲーション地図のプロファイルを受信し、更にデータ取得・同期モジュールによってプロファイルに基づいて最新の地図を取得し、カーナビゲーション装置に送信してカーナビゲーション装置における対応した地域の地図データを更新することにより、４Ｓ店又は修理店に行かずにカーナビゲーション地図更新が実現でき、効率よくカーナビゲーション地図更新のコストを下げ、同時にユーザが携帯端末を利用して自動的にカーナビゲーション地図更新を実現させ、カーナビゲーション地図更新の効率とリアルタイム性を向上させた。
【００９５】
例示として、前記接続モジュール７１は、ワイヤレスフィディリティーＷｉＦｉホットスポットをスキャンし、前記カーナビゲーション装置が作成したＷｉＦｉホットスポットの情報を含むアクセスポイントＡＰリストを取得するように構成されたホットスポットスキャンサブモジュールと、前記カーナビゲーション装置が作成したＷｉＦｉホットスポットにアクセスするように構成されたアクセスサブモジュールとを含む。
【００９６】
例示として、本発明の実施形態による携帯端末は、前記アクセスサブモジュールが前記カーナビゲーション装置が作成したＷｉＦｉホットスポットにアクセスする前に、前記カーナビゲーション装置が生成した前記カーナビゲーション装置が作成したＷｉＦｉホットスポットのＳＳＩＤを含む二次元コードをスキャンし、前記カーナビゲーション装置が作成したＷｉＦｉホットスポットのサービスセット識別子ＳＳＩＤを取得するように構成された二次元コードスキャンモジュールを更に含む。
【００９７】
例示として、前記アクセスサブモジュールは具体的に前記ＡＰリストにおける前記ＳＳＩＤとマッチングするＡＰにアクセスする。
【００９８】
例示として、前記データ取得・同期モジュール７３は前記プロファイルに基づいて最新の地図データを取得するとき、ＷｉＦｉを通じてネットワーク側から前記最新の地図データを取得するように構成される。
【００９９】
例示として、前記データ取得・同期モジュール７３は、地図アプリケーションサーバから更新可能な各地域の地図データのバージョン情報を含む地域リストを取得するように構成されたリスト取得サブモジュールと、前記地図アプリケーションサーバから前記地域リストに含まれかつ前記プロファイルの地域に含まれる特定地域の地図データをダウンロードするように構成されたデータダウンロードサブモジュールとを含む。
【０１００】
例示として、本発明の実施形態による携帯端末は、前記地域リストにおける各地域の地図データのバージョン情報を前記プロファイルにおけるバージョン情報と比較し、前記プロファイルにおけるバージョンが前記地域リストに対応する地域のバージョンより低い地域を前記特定地域として取得するように構成された地域判定モジュールを更に含む。
【０１０１】
例えば、同じ地域に対し、地域リストにおけるバージョンがプロファイルにおけるバージョンと同様である場合、携帯端末はダウンロードしない。携帯端末は、地域リストにおけるバージョンがプロファイルにおけるバージョンより高いときしかダウンロードしない。こうすることにより、不要なデータをダウンロードせず、ネットワークの負担も減らせ、更にダウンロード速度も上げられる。
【０１０２】
前記携帯端末は本発明のいずれの実施形態が提供したカーナビゲーション地図を更新する方法を実行することができ、カーナビゲーション地図を更新する方法における各操作と対応する機能モジュールと有益効果を有する。
実施形態８
【０１０３】
本実施形態は前記実施形態において提供されるいずれのカーナビゲーション装置といずれの携帯端末に基づいて、カーナビゲーション地図を更新するシステムを提供する。
【０１０４】
図８に示したように、本実施形態によるカーナビゲーション地図を更新するシステムは具体的には、カーナビゲーション装置８１と前記携帯端末８２とを含む。
【０１０５】
前記カーナビゲーション装置８１は前記携帯端末８２と接続を確立し、確立した接続によってナビゲーション地図に係る地図データの属する地域情報及び前記地域情報に対応する地図データのバージョン情報を含むプロファイルを前記携帯端末８２に送信するように構成される。
【０１０６】
前記携帯端末８２は前記プロファイルに基づいて最新の地図データを取得し、前記最新の地図データを前記かーナビゲーション装置８１に送信するように構成される。
【０１０７】
前記カーナビゲーション装置８１は、更に前記最新の地図データを受信し、前記最新の地図データの属する地域の地図データを更新するように構成される。
【０１０８】
カーナビゲーション装置８１は前記実施形態が提供されたいずれのカーナビゲーション装置であってもよいし、携帯端末８２は、前記実施形態が提供されたいずれの携帯端末であってもよい。
【０１０９】
前記カーナビゲーション地図を更新するシステムは、本発明のいずれの実施形態が提供されたカーナビゲーション地図を更新する方法及びカーナビゲーション地図の更新を補助する方法を実現することができ、対応したカーナビゲーション装置、携帯端末及び有益効果を有する。
実施形態９
【０１１０】
本実施形態は前記実施形態８に基づいてカーナビゲーション地図の更新システムの応用案を提供する。
【０１１１】
図９に示したように、カーナビゲーション地図の更新システムは三つの段階に分けてカーナビゲーション地図を更新する。
【０１１２】
第一段階において、プロファイルを同期する。カーナビゲーション装置がプロファイルを携帯端末に送信する。その中、カーナビゲーション装置がホットスポットを作成し相応した二次元コードを生成した後、携帯端末がホットスポットと二次元コードをスキャンしてから自動的にアクセスし、カーナビゲーション装置と接続を確立し、カーナビゲーション装置がプロファイルを携帯端末に同期する。
【０１１３】
第二の段階において、データをダウンロードする。携帯端末がサーバから更新可能なデータリストと更新可能なＡＰＫ（ＡｎｄｒｏｉｄＰａｃｋａｇｅ、アンドロイドパッケージ）を取得し、その後インスタントダウンロード又はＷｉＦｉダウンロードを通じて最新の地図データを取得する。携帯端末がインスタントダウンロードを利用した場合、直ちに地図データを携帯端末に同期することができる。そうでない場合、携帯端末はＷｉＦｉを通じて最新の地図データをダウンロードする。
【０１１４】
第三の段階において、データをプッシュする。携帯端末が更新可能なＡＰＫ、使用可能なプラグイン、双方向同期のお気に入りとトラックデータをカーナビゲーション装置にプッシュし、又は携帯端末がインクリメンタルデータをカーナビゲーション装置に同期し、カーナビゲーション装置は携帯端末からプッシュされたデータを利用してナビゲーション地図を更新する。
【０１１５】
前記内容は本発明の良好な実施形態及びそれに用いられる技術の原理にすぎない。本発明はここにおける特定実施形態に限らず、本発明の原理と要旨から逸脱しない範囲で、これらの実施形態に対し様々な変更、修正、置換をすることができる。そのため、前記の実施形態を通して本発明について詳細に説明したが、本発明は前記実施形態に限らず、本発明の発想を逸脱しない範囲で、より多くの同等実施形態を含むことができる。本発明の技術範囲は、特許請求の範囲により限定される。
【図１ａ】
2016105080.tif 000004
【図１ｂ】
2016105080.tif 000005
【図２ａ】
2016105080.tif 000006
【図２ｂ】
2016105080.tif 000007
【図３】
2016105080.tif 000008
【図４】
2016105080.tif 000009
【図５】
2016105080.tif 000010
【図６】
2016105080.tif 000011
【図７】
2016105080.tif 000012
【図８】
2016105080.tif 000013
【図９】
2016105080.tif 000014